(57)【要約】      （修正有）【課題】足底のツボを有効に按摩することが可能な足底ツボ押付用按摩器を提供する。【解決手段】台座と、台座の内部に収容されている機構用下蓋２０と、第１モータ３１と第１ギヤ組３２とを備え、機構用下蓋の内部に組み付けられている第１動力装置３０と、第２モータ４１と少なくとも一つの第２ギヤ組４２とを備え、機構用下蓋の内部に組み付けられている第２動力装置４０と、機構用下蓋に組み付けられている機構用上蓋５０と、機構用上蓋に枢着され、その底面に環状内ラックが設けられている波状回転盤６０と、波状回転盤の上方に設けられ、機構用上蓋に固定されているニードル挿通円盤７０と、ニードル挿通円盤の上方に設けられ、台座に結合されている上蓋と、を含む。第２動力装置が昇降用ユニット４３を駆動し、機構用上蓋、波状回転盤、ニードル挿通円盤及びニードル７０を上げて足底ツボに押圧力を伝達する。【選択図】図２
0003186916.tif 000002
【実用新案登録請求の範囲】
【請求項１】
台座と、
前記台座の内部に収容されている機構用下蓋と、
第１モータと、前記第１モータに駆動される第１ギヤ組と、を備え、前記機構用下蓋の内部に組み付けられている第１動力装置と、
第２モータと、前記第２モータに駆動される少なくとも一つの第２ギヤ組と、を備え、前記機構用下蓋の内部に組み付けられており、前記第２ギヤ組が少なくとも一つの昇降用ユニットを駆動する第２動力装置と、
前記機構用下蓋に組み付けられている機構用上蓋と、
前記機構用上蓋に枢着されており、その底面に環状内ラックが設けられており、前記第１ギヤ組は、前記機構用上蓋を貫通するように前記機構用上蓋から突出しており、前記環状内ラックと噛合っている波状回転盤と、
前記波状回転盤の上方に設けられており、前記機構用上蓋に固定されており、その表面には、ユーザの二つの足底の輪郭に対応する貫通孔が複数設けられており、前記各貫通孔がニードルに挿通されており、前記各ニードルの底部が前記波状回転盤の波状表面に押付けており、前記各ニードルの上部がユーザの足底に押付け可能なニードル挿通円盤と、
前記ニードル挿通円盤の上方に設けられており、前記台座に結合されており、ユーザの足甲を押さえ可能であり、これにより、前記第２動力装置の前記昇降用ユニットが前記機構用上蓋、前記機構用下蓋、前記波状回転盤、前記ニードル挿通円盤及び前記ニードルを上げてユーザの足底に押付けているときには、ユーザの足底のツボに前記ニードルの上部による押付力を確実に伝達することが可能な上蓋と、
を含むことを特徴とする足底ツボ押付用按摩器。
【請求項２】
前記台座の両側には、サイド蓋がそれぞれ設けられていることを特徴とする、請求項１に記載の足底ツボ押付用按摩器。
【請求項３】
前記ニードルは、長いニードルと、中等長さを有するニードルと、短いニードルと、に分けられ、これらの前記ニードルは、必要によって前記ニードル挿通円盤に組み付けられていることを特徴とする、請求項１に記載の足底ツボ押付用按摩器。
【請求項４】
前記第１動力装置は、前記第１モータと、前記第１モータに駆動される第１ギヤ組と、を含み、前記第１ギヤ組は、第１ウォームと、前記第１モータのシャフトと、を含み、前記第１ウォームは、前記シャフトに固定されており、第１ギヤと噛合っており、前記第１ギヤが第２ギヤと一体成形されており、前記第２ギヤは、前記波状回転盤の前記環状内ラックと噛合っており、前記波状回転盤を駆動して回転することが可能であることを特徴とする、請求項１に記載の足底ツボ押付用按摩器。
【請求項５】
前記第２動力装置は、前記第２モータと、前記第２モータに駆動される第２ギヤ組と、を含み、前記第２ギヤ組は、少なくとも一つの昇降ユニットを駆動可能であり、第２ウォームと、前記第２モータの軸と、を含み、前記第２ウォームは、前記軸に固定されており、第３ギヤと噛合っており、前記第３ギヤが第４ギヤと一体成形されており、第５ギヤは、前記第４ギヤに駆動され可能であり、前記昇降ユニットの昇降用ねじ軸の上端に固定されており、前記昇降ユニットの固定管の内面に内螺旋が設けられており、これにより、前記固定管が前記昇降用ねじ軸と螺合可能であり、前記固定管の底部は、前記機構用下蓋を挿通して前記台座に押付けており、前記固定管は、その外周面が円筒形を呈せず、前記機構用下蓋の少なくとも一つの非円形穴を挿通しており、これにより、前記固定管の回転を防止可能であり、前記第５ギヤと前記昇降用ねじ軸が回転しているときに、前記昇降用ねじ軸は、回転して上昇し、又は回転し降下することが可能であることを特徴とする、請求項１に記載の足底ツボ押付用按摩器。
【請求項６】
前記機構用上蓋の天面と前記波状回転盤の底面の間には、前記波状回転盤の底面に押付けている耐磨耗玉が複数設けられており、前記耐磨耗玉により、前記波状回転盤がユーザの体重を受けながら回転することが可能であることを特徴とする、請求項１に記載の足底ツボ押付用按摩器。
【考案の詳細な説明】
【技術分野】
【０００１】
本考案は、按摩器に関し、特に、波状回転盤に駆動されるニードルにより、ユーザの足底のツボを按摩することが可能であり、第２動力装置により、全てのニードルが上げられてユーザの足底のツボに対して有効に按摩することが可能な足底ツボ押付用按摩器に関するものである。
【背景技術】
【０００２】
従来の按摩器は、人体の各部位の按摩に対応するものが色々あり、例えば人体の腰部と腹部を按摩する按摩器、人体の背部を按摩する按摩器及び人体のネック部を按摩する按摩器などがある。もちろん、人体の足底を按摩する按摩器もある。人体の足底は、ツボが多く、より平坦であるため、按摩することが容易である。
【０００３】
従来の足底按摩器は、押付力を増加するための装置を有しないため、ユーザが足底按摩器に立って自分の体重によって押付力を増加する。このように、足底のツボを有効に按摩することが可能となる。しかし、足底を按摩するために、ユーザは長時間に立つことが必要であるため、疲労しやすい問題があった。
【考案の概要】
【考案が解決しようとする課題】
【０００４】
本考案の主な目的は、波状回転盤に駆動されるニードルにより、ユーザの足底のツボを按摩することが可能であり、第２動力装置により、全てのニードルが上げられてユーザの足底のツボに対して有効に按摩することが可能な足底ツボ押付用按摩器を提供することにある。
【課題を解決するための手段】
【０００５】
本考案の足底ツボ押付用按摩器によると、台座と、台座の内部に収容されている機構用下蓋と、第１モータと、第１モータに駆動される第１ギヤ組と、を備え、機構用下蓋の内部に組み0付けられている第１動力装置と、第２モータと、第２モータに駆動される少なくとも一つの第２ギヤ組と、を備え、機構用下蓋の内部に組み付けられており、第２ギヤ組が少なくとも一つの昇降用ユニットを駆動する第２動力装置と、機構用下蓋に組み付けられている機構用上蓋と、機構用上蓋に枢着されており、その底面に環状内ラックが設けられており、第１ギヤ組は、機構用上蓋を貫通するように機構用上蓋から突出しており、環状内ラックと噛合っている波状回転盤と、波状回転盤の上方に設けられており、機構用上蓋に固定されており、その表面には、ユーザの二つの足底の輪郭に対応する貫通孔が複数設けられており、各貫通孔がニードルに挿通されており、各ニードルの底部が波状回転盤の波状表面に押付けており、各ニードルの上部がユーザの足底に押付け可能なニードル挿通円盤と、ニードル挿通円盤の上方に設けられており、台座に結合されており、ユーザの足甲を押さえ可能であり、これにより、第２動力装置の昇降用ユニットが機構用上蓋、機構用下蓋、波状回転盤、ニードル挿通円盤及びニードルを上げてユーザの足底に押付けているときには、ユーザの足底のツボにニードルの上部による押付力を確実に伝達することが可能な上蓋と、を含むことを特徴とする。
【０００６】
本考案の足底ツボ押付用按摩器によると、台座の両側には、サイド蓋がそれぞれ設けられていることを特徴とする。
【０００７】
本考案の足底ツボ押付用按摩器によると、ニードルは、長いニードルと、中等長さを有するニードルと、短いニードルと、に分けられ、これらのニードルは、必要によってニードル挿通円盤に組み付けられていることを特徴とする。
【０００８】
本考案の足底ツボ押付用按摩器によると、第１動力装置は、第１モータと、第１モータに駆動される第１ギヤ組と、を含み、第１ギヤ組は、第１ウォームと、第１モータのシャフトと、を含み、第１ウォームは、シャフトに固定されており、第１ギヤと噛合っており、第１ギヤが第２ギヤと一体成形されており、第２ギヤは、波状回転盤の環状内ラックと噛合っており、波状回転盤を駆動して回転することが可能であることを特徴とする。
【０００９】
本考案の足底ツボ押付用按摩器によると、第２動力装置は、第２モータと、第２モータに駆動される第２ギヤ組と、を含み、第２ギヤ組は、少なくとも一つの昇降ユニットを駆動可能であり、第２ウォームと、第２モータの軸と、を含み、第２ウォームは、軸に固定されており、第３ギヤと噛合っており、第３ギヤが第４ギヤと一体成形されており、第５ギヤは、第４ギヤに駆動され可能であり、昇降ユニットの昇降用ねじ軸の上端に固定されており、昇降ユニットの固定管の内面に内螺旋が設けられており、これにより、固定管が昇降用ねじ軸と螺合可能であり、固定管の底部は、機構用下蓋を挿通して台座に押付けており、固定管は、その外周面が円筒形を呈せず、機構用下蓋の少なくとも一つの非円形穴を挿通しており、これにより、固定管の回転を防止可能であり、第５ギヤと昇降用ねじ軸が回転しているときに、昇降用ねじ軸は、回転して上昇し、又は回転し降下することが可能であることを特徴とする。
【００１０】
本考案の足底ツボ押付用按摩器によると、機構用上蓋の天面と波状回転盤の底面の間には、波状回転盤の底面に押付けている耐磨耗玉が複数設けられており、耐磨耗玉により、波状回転盤がユーザの体重を受けながら回転することが可能であることを特徴とする。
【考案の効果】
【００１１】
本考案の足底ツボ押付用按摩器によれば、波状回転盤に駆動されるニードルにより、ユーザの足底のツボを按摩することが可能であり、第２動力装置により、全てのニードルが上げられてユーザの足底のツボに対して有効に按摩することが可能であるという効果を有する。
【図面の簡単な説明】
【００１２】
【図１】本考案の一実施例を示す分解斜視図である。
【図２】本考案の一実施例の機構部分を示す分解斜視図である。
【図３】本考案の一実施例を示す斜視図である。
【図４】本考案の一実施例を示す正面断面図である。
【図５】本考案の一実施例を示す側面断面図である。
【図６】本考案の一実施例の機構部分を示す断面図１である。
【図７】本考案の一実施例の機構部分を示す断面図２である。
【図８】本考案の一実施例が足底の按摩に適用されている状態を示す模式図であって、ユーザが座って足底を按摩している。
【考案を実施するための最良の形態】
【００１３】
以下、本考案の実施の形態を図面に基づいて説明する。
図１から図８を参照する。図１は本考案の一実施例を示す分解斜視図であり、図２は本考案の一実施例の機構部分を示す分解斜視図であり、図３は本考案の一実施例を示す斜視図であり、図４は本考案の一実施例を示す正面断面図であり、図５は本考案の一実施例を示す側面断面図であり、図６は本考案の一実施例の機構部分を示す断面図１であり、図７は本考案の一実施例の機構部分を示す断面図２であり、図８は、本考案の一実施例が足底の按摩に適用されている状態を示す模式図であって、ユーザが座って足底を按摩している。本実施例の足底ツボ押付用按摩器は、台座１０と、機構用下蓋２０と、第１動力装置３０と、第２動力装置４０と、機構用上蓋５０と、波状回転盤６０と、ニードル挿通円盤７０と、上蓋８０と、を含む。
【００１４】
台座１０の両側には、サイド蓋１１がそれぞれ設けられている。
【００１５】
機構用下蓋２０は、台座１０の内部に収容されている。
【００１６】
第１動力装置３０は、第１モータ３１と、第１モータ３１に駆動される第１ギヤ組３２と、を含み、機構用下蓋２０の内部に組み付けられている。
【００１７】
第２動力装置４０は、第２モータ４１と、第２モータ４１に駆動される少なくとも一つの第２ギヤ組４２と、を含み、機構用下蓋２０の内部に組み付けられている。第２ギヤ組４２は、少なくとも一つの昇降用ユニット４３を駆動することが可能である。
【００１８】
機構用上蓋５０は、機構用下蓋２０に組み付けられている。
【００１９】
波状回転盤６０は、機構用上蓋５０に枢着されており、その底面に環状内ラック６１が設けられている。第１ギヤ組３２は、機構用上蓋５０を貫通するように機構用上蓋５０から突出しており、環状内ラック６１と噛合っている。このように、第１ギヤ組３２は波状回転盤６０を駆動して回転することが可能である。
【００２０】
ニードル挿通円盤７０は、波状回転盤６０の上方に設けられており、機構用上蓋５０に固定されており、その表面には、ユーザの二つの足底の輪郭に対応する貫通孔７１が複数設けられている。各貫通孔７１はニードル７２に挿通されている。ニードル７２は、長いニードル７２と、中等長さを有するニードル７２と、短いニードル７２と、に分けられる。これらのニードルは、必要によってニードル挿通円盤７０に組み付けられている。各ニードル７２の底部７２１は、波状回転盤６０の波状表面６２に押付けている。各ニードル７２の上部はユーザの足底に押付け可能である。
【００２１】
上蓋８０は、ニードル挿通円盤７０の上方に設けられており、台座１０に結合されており、ユーザの足甲を押さえ可能である。これにより、第２動力装置４０の昇降用ユニット４３が機構用上蓋５０、機構用下蓋２０、波状回転盤６０、ニードル挿通円盤７０及びニードル７２を上げてユーザの足底に押付けているときには、ユーザの足底のツボにニードル７２の上部による押付力を確実に伝達することが可能である。
【００２２】
本考案の足底ツボ押付用按摩器の第１動力装置３０は、第１モータ３１と、第１モータ３１に駆動される第１ギヤ組３２と、を含む。第１ギヤ組３２は、第１ウォーム３２１と、第１モータ３１のシャフト３１１と、を含む。第１ウォーム３２１は、シャフト３１１に固定されており、第１ギヤ３２２と噛合っている。第１ギヤ３２２は第２ギヤ３２３と一体成形されている。第２ギヤ３２３は、波状回転盤６０の環状内ラック６１と噛合っており、波状回転盤６０を駆動して回転することが可能である。
【００２３】
本考案の足底ツボ押付用按摩器の第２動力装置４０は、第２モータ４１と、第２モータ４１に駆動される第２ギヤ組４２と、を含む。第２ギヤ組４２は、少なくとも一つの昇降ユニット４３を駆動可能であり、第２ウォーム４２１と、第２モータ４１の軸４１１と、を含む。第２ウォーム４２１は、軸４１１に固定されており、第３ギヤ４２２と噛合っている。第３ギヤ４２２は第４ギヤ４２３と一体成形されている。第５ギヤ４２４は、第４ギヤ４２３に駆動され可能であり、昇降ユニット４３の昇降用ねじ軸４３１の上端に固定されている。昇降ユニット４３の固定管４３２の内面に内螺旋４３２１が設けられている。これにより、固定管４３２は昇降用ねじ軸４３１と螺合可能である。固定管４３２の底部は、機構用下蓋２０を挿通して台座１０に押付けている。固定管４３２は、その外周面が円筒形を呈せず、機構用下蓋２０の少なくとも一つの非円形穴２１を挿通している。これにより、固定管４３２の回転を防止可能である。第５ギヤ４２４と昇降用ねじ軸４３１が回転しているときに、昇降用ねじ軸４３１は、回転して上昇し、又は回転し降下することが可能である。
【００２４】
機構用上蓋５０の天面と波状回転盤６０の底面の間には、波状回転盤６０の底面に押付けている耐磨耗玉５１が複数設けられている。耐磨耗玉５１により、波状回転盤６０はユーザの体重を受けながら回転することが可能である。
【００２５】
次に、本考案の足底ツボ押付用按摩器の使用方法を説明する。ユーザは、上蓋８０とニードル挿通円盤７０の間の空間に両足を入れて、ニードル挿通円盤７０に二つの足底を置いて、二つの足底が複数のニードル７２に押付けられている。第１動力装置３０によって波状回転盤６０を駆動して回転しているときには、複数のニードル７２が波状表面６２に駆動されて波状に伸縮するようにユーザの足底のツボに押付ける。本考案の足底ツボ押付用按摩器が第２動力装置４０を有し、第２動力装置４０により増圧効果を有するため、ユーザは立ちながら足底を按摩することが必要せず、座りながら足底を按摩することが可能である。すなわち、第２動力装置４０により、機構用上蓋５０、機構用下蓋２０、波状回転盤６０、ニードル挿通円盤７０及び全てのニードル７２が上げられ、これにより、ニードル７２の上部による押付力が増加されて、ユーザの足底のツボに前記押付力を有効に伝達することが可能である。このように、ユーザの足底のツボを有効に按摩する目的を達成することが可能である。
【産業上の利用可能性】
【００２６】
本考案は、足底按摩器に適用することができる。
【符号の説明】
【００２７】
１  足底ツボ押付用按摩器
１０  足底
１１  サイド蓋
２０  機構用下蓋
２１  非円形穴
３０  第１動力装置
３１  第１モータ
３２  第１ギヤ組
４０  第２動力装置
４１  第２モータ
４２  第２ギヤ組
４３  昇降用ユニット
５０  機構用上蓋
５１  耐磨耗玉
６０  波状回転盤
６１  環状内ラック
６２  波状表面
７０  ニードル挿通円盤
７１  貫通孔
７２  ニードル
８０  上蓋
３１１  シャフト
３２１  第１ウォーム
３２２  第１ギヤ
３２３  第２ギヤ
４１１  軸
４２１  第２ウォーム
４２２  第３ギヤ
４２３  第４ギヤ
４２４  第５ギヤ
４３１  昇降用ねじ軸
４３２  固定管
７２１  底部
４３２１  内螺旋
【図１】
0003186916.tif 000003
【図２】
0003186916.tif 000004
【図３】
0003186916.tif 000005
【図４】
0003186916.tif 000006
【図５】
0003186916.tif 000007
【図６】
0003186916.tif 000008
【図７】
0003186916.tif 000009
【図８】
0003186916.tif 000010